(57)【要約】【課題】計器への誤結線を防止するシステムやプログラムを提供する。【解決手段】本発明は、計器に設けられた複数の結線端子のうち対応する結線端子に１対１で配線を結線する際の誤結線を防止する誤結線防止システムであって、前記複数の結線端子の各々に結線された配線に関する情報である結線配線情報を読み取る読み取り手段と、前記配線と前記複数の結線端子の各々とが正しい対応関係を有するか否かの正誤判定を行う判定手段と、を備え、前記判定手段は、前記読み取り手段により読み取られた前記結線配線情報を取得可能であり、前記読み取り手段から取得した前記結線配線情報及び前記配線と前記複数の結線端子の各々との正規の対応関係に関する情報である正規配線情報に基づいて前記正誤判定を行う、ことを特徴とする。【選択図】図１
2020005335.tif 000002
【特許請求の範囲】
【請求項１】
計器に設けられた複数の結線端子のうち対応する結線端子に１対１で配線を結線する際の誤結線を防止する誤結線防止システムであって、
前記複数の結線端子の各々に結線された配線に関する情報である結線配線情報を読み取る読み取り手段と、
前記配線と前記複数の結線端子の各々とが正しい対応関係を有するか否かの正誤判定を行う判定手段と、
を備え、
前記判定手段は、前記読み取り手段により読み取られた前記結線配線情報を取得可能であり、前記読み取り手段から取得した前記結線配線情報及び前記配線と前記複数の結線端子の各々との正規の対応関係に関する情報である正規配線情報に基づいて前記正誤判定を行う、誤結線防止システム。
【請求項２】
前記正規配線情報を記憶可能な記憶部を備え、
前記判定手段は、前記記憶部から前記正規配線情報を取得可能である、請求項１に記載の誤結線防止システム。
【請求項３】
前記正規配線情報を表示する正規表示器を備え、
前記正規配線情報は、前記読み取り手段により前記正規表示器から読み取り可能である、請求項１に記載の誤結線防止システム。
【請求項４】
計器に設けられた複数の結線端子のうち対応する結線端子に１対１で配線を結線する際の誤結線を防止するための誤結線防止プログラムであって、
制御部を、前記複数の結線端子の各々に結線された配線に関する情報である結線配線情報を読み取る読み取り手段から取得した前記結線配線情報と、前記配線と前記複数の結線端子の各々との正規の対応関係に関する情報である正規配線情報とに基づいて、前記配線と前記複数の結線端子の各々とが正しい対応関係を有するか否かの正誤判定を行う判定手段として機能させるように構成された誤結線防止プログラム。
【発明の詳細な説明】
【技術分野】
【０００１】
本発明は、計器に設けられた複数の結線端子の各々に配線を結線する際の誤結線を防止する誤結線防止システムや誤結線防止プログラムに関する。
【背景技術】
【０００２】
従来から、電流を測定するための計器（電力量計）が知られており、特に、大電流を小電流に変換可能な変流器が取り付けられた変流器付計器が知られている（特許文献１）。例えば、変流器付計器２００は、図７に示すように、三相３線式の計器２０１と、二つの変流器２０２と、を備える。一方の変流器２０２は、電柱に設けられた変圧器から引き込み線を介して建物に引き込まれる三相３線の電源ケーブルのうち第一相の電源線に接続され、他方の変流器２０２は、三相３線の電源ケーブルのうち第三相の電源線に接続される。計器２０１は、第一相の電源線に対応する変流器２０２に接続される３つの端子１Ｓ、１Ｌ、Ｐ１と、第二相の電源線に接続される端子Ｐ２と、第三相の電源線に対応する変流器２０２に接続される３つの端子３Ｓ、３Ｌ、Ｐ３と、の７つの端子を有している。
【０００３】
具体的に、７つの端子１Ｓ、Ｐ１、Ｐ３、３Ｓ、３Ｌ、Ｐ２、１Ｌには、対応する配線ケーブルがそれぞれ１本ずつ接続される。これら７本の配線ケーブルは、それぞれ色分けされている。例えば、黒色、赤色、青色、茶色、黄色、白色、緑色の配線ケーブルが、端子１Ｓ、Ｐ１、Ｐ３、３Ｓ、３Ｌ、Ｐ２、１Ｌにそれぞれ接続される。
【先行技術文献】
【特許文献】
【０００４】
【特許文献１】特開２０１６−５８６３４号公報
【発明の概要】
【発明が解決しようとする課題】
【０００５】
前記変流器付計器２００では、配線ケーブルの形状が同じであり、端子１Ｓ、Ｐ１、Ｐ３、３Ｓ、３Ｌ、Ｐ２、１Ｌの形状も同じであり、配線ケーブルの色がそれぞれ異なるのみであるため、配線ケーブルを対応する端子と異なる端子に誤って配線してしまうおそれがある。尚、このようなことは、変流器を持たない計器であって、複数の端子（結線端子）を有する計器についても同様である。
【０００６】
本発明は、計器への誤結線を防止するシステムやプログラムを提供することを目的とする。
【課題を解決するための手段】
【０００７】
本発明の誤結線防止システムは、計器に設けられた複数の結線端子のうち対応する結線端子に１対１で配線を結線する際の誤結線を防止する誤結線防止システムであって、前記複数の結線端子の各々に結線された配線に関する情報である結線配線情報を読み取る読み取り手段と、前記配線と前記複数の結線端子の各々とが正しい対応関係を有するか否かの正誤判定を行う判定手段と、を備え、前記判定手段は、前記読み取り手段により読み取られた前記結線配線情報を取得可能であり、前記読み取り手段から取得した前記結線配線情報及び前記配線と前記複数の結線端子の各々との正規の対応関係に関する情報である正規配線情報に基づいて前記正誤判定を行う。
【０００８】
かかる構成によれば、配線と結線端子との対応関係の正誤が、正規配線情報（予め定められた各結線端子に対応する配線に関する情報）に基づいて判定されるため、配線と結線端子との対応関係が誤っていたとしても、この判定結果に基づいて配線と結線端子との対応関係を修正することが可能であり、これにより、誤結線を防止することができる。
【０００９】
また、前記誤結線防止システムは、前記正規配線情報を記憶可能な記憶部を備え、前記判定手段は、前記記憶部から前記正規配線情報を取得可能であってもよい。
【００１０】
かかる構成によれば、正規配線情報の書き換えや保管の点で有利である。
【００１１】
さらに、前記誤結線防止システムは、前記正規配線情報を表示する正規表示器を備え、前記正規配線情報は、前記読み取り手段により前記正規表示器から読み取り可能であってもよい。
【００１２】
かかる構成によれば、システムに記憶される情報量を減らすことで、システム内における処理負荷を軽減することができる。
【００１３】
本発明の誤結線防止プログラムは、計器に設けられた複数の結線端子のうち対応する結線端子に１対１で配線を結線する際の誤結線を防止するための誤結線防止プログラムであって、制御部を、前記複数の結線端子の各々に結線された配線に関する情報である結線配線情報を読み取る読み取り手段から前記結線配線情報を取得させると共に、該結線配線情報及び前記配線と前記複数の結線端子の各々との正規の対応関係に関する情報である正規配線情報とに基づいて、前記配線と前記複数の結線端子の各々とが正しい対応関係を有するか否かの正誤判定を行う判定手段として機能させるように構成されている。
【００１４】
かかる構成によれば、配線と結線端子との対応関係の正誤が、正規配線情報（予め定められた各結線端子に対応する配線に関する情報）に基づいて判定されるため、配線と結線端子との対応関係が誤っていたとしても、この判定結果に基づいて配線と結線端子との対応関係を修正することが可能であり、これにより、誤結線を防止することができる。
【発明の効果】
【００１５】
以上より、本発明によれば、計器への誤結線を防止するシステムやプログラムを提供することができる。
【図面の簡単な説明】
【００１６】
【図１】図１は、第１実施形態に係る誤結線防止システムを示す模式図である。
【図２】図２は、図１に示す誤結線防止システムのブロック図である。
【図３】図３は、図１に示す誤結線防止システムの変形例を示す模式図である。
【図４】図４は、第２実施形態に係る誤結線防止システムを示す模式図である。
【図５】図５は、図４に示す誤結線防止システムにおける別の正規表示器を示す模式図である。
【図６】図６は、第３実施形態に係る誤結線防止システムを示す模式図である。
【図７】図７は、従来の変流器付計器を示す模式図である。
【発明を実施するための形態】
【００１７】
以下、本発明の第１実施形態について、図１、図２を参照しつつ説明する。本実施形態に係る誤結線防止システムは、計器に対して複数の配線を結線する際の誤結線を防止するシステムである。第１実施形態に係る誤結線防止システムは、図１に示すように、計器１と、計器１に結線される複数の配線２と、使用者により操作可能な端末３と、を含む。
【００１８】
計器１は、例えば、電力使用量を計測する電力量計（電力メーター）等である。本実施形態の計器１は、三相３線式の電力量計である。また、本実施形態の計器１は、大電流を小電流に変換可能な変流器が取り付けられた変流器付計器（高低圧計器）である。さらに、本実施形態の計器１は、電力使用量を計測する本体１０と、複数の結線端子１１０が設けられた端子台１１と、を含む。
【００１９】
本実施形態の端子台１１では、各結線端子１１０の形状は同じである。また、本実施形態の端子台１１は、複数の結線端子１１０として、例えば、７つの結線端子１Ｓ、Ｐ１、Ｐ３、３Ｓ、３Ｌ、Ｐ２、１Ｌを有する。具体的に、この端子台１１では、７つの結線端子１Ｓ、Ｐ１、Ｐ３、３Ｓ、３Ｌ、Ｐ２、１Ｌが左から順に一列に並んでいる。さらに、本実施形態の端子台１１における各結線端子１Ｓ、Ｐ１、Ｐ３、３Ｓ、３Ｌ、Ｐ２、１Ｌの周囲には、結線端子１Ｓ、Ｐ１、Ｐ３、３Ｓ、３Ｌ、Ｐ２、１Ｌに関する情報（例えば、「１Ｓ」、「Ｐ１」、「Ｐ３」、「３Ｓ」、「３Ｌ」、「Ｐ２」、「１Ｌ」といった印字）が表示されている。また、端子台１１における各結線端子１Ｓ、Ｐ１、Ｐ３、３Ｓ、３Ｌ、Ｐ２、１Ｌの近傍には、この情報に加えて、各結線端子１１０に対応する配線２についての情報（例えば、後述する各結線端子１１０に対応する配線２の色）も表示されている。
【００２０】
本体１０は、電力使用量をアナログやデジタルで計測する。本実施形態の本体１０は、電力使用量をアナログで計測する。
【００２１】
本実施形態の誤結線防止システム１００には、７本の配線２が設けられている。各配線２の形状（断面形状や太さ（径））は、同じである。本実施形態の各配線２は、例えば、断面積が３．５ｓｑや５．０ｓｑであると共に断面形状が円形状の配線である。
【００２２】
また、本実施形態の各配線２は、それぞれ色分けされている。各配線２の色は、例えば、黒色、赤色、青色、茶色、黄色、白色、緑色である。各配線２は、複数の結線端子１１０のうち対応する結線端子１１０に１対１で対応している。具体的に、黒色、赤色、青色の配線２は、結線端子１Ｓ、Ｐ１、Ｐ３にそれぞれ対応している。茶色の配線２は、結線端子３Ｓに対応している。黄色、白色、緑色の配線２は、結線端子３Ｌ、Ｐ２、１Ｌにそれぞれ対応している。
【００２３】
図２に示すように、サーバー４は、端末３に接続可能である。また、サーバー４は、配線２と複数の結線端子１１０の各々との正規の対応関係に関する情報である正規配線情報を記憶可能な記憶部４０を備える。
【００２４】
正規配線情報は、例えば、各配線２と複数の結線端子１１０のうち１対１で対応する結線端子１１０との組み合わせを示す情報である。具体的に、正規配線情報は、各結線端子１１０に結線すべき配線２の配列を示す情報である。より具体的には、正規配線情報は、この組み合わせを示す情報を含むテーブル（正規配列テーブル）である。
【００２５】
端末３は、情報を読み取る読み取り手段３０と、配線２と複数の結線端子１１０の各々とが正しい対応関係を有するか否かの正誤判定を行う判定手段３１と、を備える。本実施形態の端末３は、例えば、ハンディターミナルである（図１参照）。また、本実施形態の端末３は、使用者により操作可能な操作手段３２と、情報を表示可能な表示手段３３と、をさらに備える。尚、使用者は、例えば、計器１のメンテナンスを行う作業者等である。
【００２６】
読み取り手段３０は、複数の結線端子１１０の各々に結線された配線２に関する情報である結線配線情報を読み取る。本実施形態の読み取り手段３０は、結線配線情報として、配線２の色に関する情報（例えば、配線２自体の色）を読み取る。また、本実施形態の読み取り手段３０は、例えば、ハンディターミナルに設けられた色を認識可能なセンサ等である。
【００２７】
判定手段３１は、読み取り手段３０により読み取られた結線配線情報を取得可能である。また、判定手段３１は、読み取り手段３０から取得した結線配線情報及び正規配線情報（配線２と複数の結線端子１１０の各々との正規の対応関係に関する情報）に基づいて正誤判定を行う。本実施形態の判定手段３１は、ハンディターミナルに設けられた制御部（例えば、ＣＰＵ（Ｃｅｎｔｒａｌ  Ｐｒｏｃｅｓｓｉｎｇ  Ｕｎｉｔ））である（図２参照）。端末３では、ＣＰＵが誤結線防止プログラムを実行することで、機能的に、判定手段３１が構成されている。また、本実施形態の判定手段３１は、自ら、記憶部４０から正規配線情報を取得可能である。
【００２８】
操作手段３２は、例えば、ハンディターミナルの前面に設けられたボタンである（図１参照）。例えば、端末３の使用者により操作手段３２が誤結線防止プログラムを実行するべく操作されることで、ＣＰＵにより誤結線防止プログラムが実行される。
【００２９】
表示手段３３は、例えば、ハンディターミナルの前面に設けられた液晶ディスプレイである。本実施形態の表示手段３３は、判定手段３１による判定結果やハンディターミナルの操作方法に関する情報（例えば、「判定結果：正」、「判定結果：誤」といった判定結果や、「ハンディターミナルを配線に近づけ、ＥＮＴＥＲボタンを押してください」といったガイダンス）等を表示することができる。
【００３０】
以上の構成により端末３では、計器１に設けられた複数の結線端子１１０のうち対応する結線端子１１０に１対１で配線を結線する際の誤結線を防止するための誤結線防止プログラムを実行できる。誤結線防止プログラムは、端末３の制御部（ＣＰＵ）を、読み取り手段３０から結線配線情報を取得させると共に、結線配線情報及び正規配線情報に基づいて、配線２と複数の結線端子１１０の各々とが正しい対応関係を有するか否かの正誤判定を行う判定手段３１として機能させるように構成されている。
【００３１】
次に、誤結線防止システム１００における配線２の結線を行う際の処理について、具体的に説明する。使用者は、計器１の端子台１１に表示された各結線端子１１０に対応する配線２についての情報を目視で確認した上で、一つの結線端子１１０に一つの配線２を結線する度に端末３により誤結線防止プログラムを実施し、すべての結線端子１１０に対応する配線２を結線する。
【００３２】
より具体的に、使用者は、端子台１１における一番左に位置している結線端子１１０の近傍に表示された「１Ｓ」との情報及び「黒」との情報を目視により確認し、対応する配線２（黒色の配線）を結線端子１Ｓに結線する（図１参照）。尚、このとき、例えば、計器１の周囲が暗い場合には、使用者は、端子台１１における「１Ｓ」との情報や「黒」との情報を見誤ってしまったり、対応する配線２（黒色の配線）以外の配線２を誤って結線端子１Ｓに結線してしまったりするおそれがある。
【００３３】
次に、使用者は、端末３を操作手段３２により操作し、表示手段３３の表示に従って誤結線防止プログラムを実行する。この誤結線防止プログラムが実行されると、読み取り手段３０が結線配線情報（例えば、結線端子１Ｓに結線された配線２自体の色）を読み取った後、判定手段３１は読み取り手段３０から結線配線情報を取得すると共に記憶部４０から正規配線情報を取得する（図２参照）。さらに、判定手段３１は、結線配線情報と正規配線情報に基づいて正誤判定を行い、その判定結果を表示手段３３に出力し表示させる。
【００３４】
使用者は、配線２と結線端子１Ｓとの対応関係が誤っていることを確認した場合、配線２を結線端子１Ｓから取り外し、再び、一番左に位置している結線端子１１０の近傍に表示された「１Ｓ：黒」との情報を目視により確認し、対応する配線２（黒色の配線２）を結線端子１Ｓに結線し、誤結線防止プログラムの実行を行い、正誤判定を確認するとの一連の作業を、配線２と結線端子１Ｓとの対応関係が正しいことを確認できるまで繰り返す（図１参照）。
【００３５】
使用者は、配線２と結線端子１Ｓとの対応関係が正しいことを確認した場合、左から二番目に位置している結線端子１１０の近傍に表示された「Ｐ１：赤」との情報を目視により確認し、対応する配線２（赤色の配線）を結線端子Ｐ１に結線し、誤結線防止プログラムの実行を行い、正誤判定を確認する。このように使用者は、一つの結線端子１１０に一つの配線２を結線する度に端末３により誤結線防止プログラムを実施し、すべての結線端子１１０に対応する配線２を結線する。
【００３６】
以上の誤結線防止システム１００や誤結線防止プログラムによれば、配線２と結線端子１１０との対応関係の正誤が、正規配線情報（予め定められた各結線端子に対応する配線に関する情報）に基づいて判定手段３１により判定される。そのため、配線２と結線端子１１０との対応関係が誤っていたとしても（例えば、黒色以外の配線２を結線端子１Ｓに結線したとしても）、判定手段３１による判定結果に基づいて配線２と結線端子１１０との対応関係を修正する（例えば、黒色以外の配線２を結線端子１Ｓから取り外した後、黒色の配線２を結線端子１Ｓに結線する）ことが可能であり、これにより、誤結線を防止することができる。
【００３７】
また、本実施形態の誤結線防止システム１００では、記憶部４０に正規配線情報が記憶されているため（図２参照）、例えば、正規配線情報の書き換えや保管が必要な場合には、記憶部４０を対象に対応すればよいため、正規配線情報の書き換えや保管の点で有利である。
【００３８】
尚、結線配線情報は、各配線２自体の色に限られず、例えば、図３に示すように、各配線２に取り付けられた表示札２０に記載された情報であってもよい。表示札２０に記載された情報は、例えば、配線２の色を示す情報（例えば、「１Ｓ：黒色」との印字や、「１Ｓ：黒色」である旨を示すＱＲコード（登録商標）やバーコード）であってもよい。表示札２０は、例えば、接続部材（例えば、結束バンド）２１により配線２に接続されてもよい。このような場合においても、配線２と結線端子１１０との対応関係の正誤が、正規配線情報（予め定められた各結線端子に対応する配線に関する情報）に基づいて判定手段３１により判定されるため、配線２と結線端子１１０との対応関係が誤っていたとしても、判定手段３１による判定結果に基づいて配線２と結線端子１１０との対応関係を修正することが可能であり、これにより、誤結線を防止することができる。
【００３９】
また、誤結線防止システム１００では、一つの結線端子１１０に一つの配線２を結線する度に判定手段３１による正誤判定が行われていたが、全ての結線端子１１０に全ての配線２を結線した後に判定手段３１による正誤判定が一括で行われてもよい。この場合、全ての結線端子１１０に全ての配線２を結線した後に、読み取り手段３０が全ての配線２に関する結線配線情報を一括で読み取り、判定手段３１がすべての配線２に関する結線配線情報と正規配線情報とを一括で比較して、配線２と複数の結線端子１１０の各々とが正しい対応関係を有するか否かの正誤判定を行ってもよい。
【００４０】
正規配線情報は、サーバー４の記憶部４０に記憶されていたが、端末３に設けられた記憶部４０に記憶されていてもよい。この場合、端末３は、判定手段３１及び記憶部４０のいずれも備えるため、端末３において正誤判定の処理を完結させることができる。
【００４１】
判定手段３１は、端末３ではなく、サーバー４など他の構成に備えられていてもよい。この場合、判定手段３１及び記憶部４０のいずれも端末３以外の構成に備えられるため、例えば、端末３に正誤判定の判定処理の負荷をかけることなく、この判定結果を表示させることができる。
【００４２】
尚、正規配線情報は、ＵＳＢメモリなどの記憶部４０に記憶されていてもよい。また、正規配線情報は、判定手段３１自らにより取得されていたが、別の構成（例えば、読み取り手段３０）により判定手段３１に出力されてもよい。
【００４３】
第１実施形態に係る誤結線防止システム１００についての説明は以上である。続いて、本発明の第２実施形態に係る誤結線防止システム１００について、図４及び図５を参照しつつ説明する。尚、第１実施形態と共通する構成については、同じ符号を付し、説明は繰り返さない。
【００４４】
第２実施形態に係る誤結線防止システム１００は、正規配線情報を記憶可能な記憶部４０の代わりに、図４に示すように、正規配線情報を表示する正規表示器５を備える。本実施形態の正規表示器５は、配線２に接続可能であり且つ配線２の色を確認するための部材である。各正規表示器５の表面には、正規配線情報を示すバーコード５２が表示されている。具体的に、正規表示器５の表面の全体に、正規配線情報を示す一つのバーコード（例えば、各結線端子１１０と対応する配線２自体の色の配列の情報を示すバーコード）５２が表示されていてもよい。これにより、正規配線情報は、読み取り手段３０により正規表示器５から読み取り可能である。本実施形態の正規表示器５には、配線２を取り付けるための取り付け部位５１（例えば、貫通孔や切欠き等）が設けられている。また、本実施形態の正規表示器５は、各配線２に取り付け可能であり且つ互いに連続した７つの樹脂製のブロック５０で構成されている。
【００４５】
各ブロック５０には、１本の配線２を挿通可能な貫通孔５１が設けられている。各ブロック５０に配線２を挿通することにより、正規表示器５への配線２の接続が可能である。各ブロック５０の色は、挿通される配線２と同じ色である。例えば、黒色の配線２が挿通されるブロック５０の色は、黒色である。また、各ブロック５０の表面には、正規配線情報（例えば、正規表示器５を構成する全てのブロック５０に亘って表示された一つのバーコード５２）に加えて、ブロック５０自身の色に関する情報も印字されている。
【００４６】
本実施形態の誤結線防止システム１００では、全ての結線端子１１０に全ての配線２を結線した後に一括で判定手段３１による正誤判定が行われる。具体的には、まず、正規表示器５に全ての配線２を接続した後に（例えば、正規表示器５の各貫通孔５１に各配線２を挿通した後に）、全ての結線端子１１０に全ての配線２を結線する。さらに、読み取り手段３０が全ての配線２に関する結線配線情報を一括で読み取り、判定手段３１がすべての配線２に関する結線配線情報と正規配線情報とを一括で比較して、配線２と複数の結線端子１１０の各々とが正しい対応関係を有するか否かの正誤判定を行う。
【００４７】
尚、正規表示器５ａは電源線が正相である場合に用いられる正相用の表示器である。そのため、正規表示器５ａには、正相用の正規配線情報を示すバーコード５２が表示されている。電源線が逆相である場合には、図５に示す逆相用の表示器である正規表示器５ｂを用いればよい。正規表示器５ｂには、逆相用の正規配線情報を示すバーコード５２が表示されている。本実施形態の正規表示器５ａ、５ｂにおける各ブロック５０には、貫通孔５１に連続する切りカギ５３がそれぞれ設けられている。切りカギ５３は、例えば、ブロック５０におけるバーコード５２が表示されている側と反対側に延びると共に、貫通孔５１の貫通方向に延びている。
【００４８】
かかる構成によれば、正規表示器５に正規配線情報が表示されているため、正規配線情報の分だけ、誤結線防止システム１００に記憶される情報量を減らすことで、誤結線防止システム１００における処理負荷を軽減することができる。
【００４９】
本実施形態の誤結線防止システム１００では、正規表示器５に配線２を接続する際に、配線２と結線端子１１０との対応関係の正誤を確認し、さらに、判定手段３１による正誤判定によりこの対応関係の正誤を判定できる。即ち、この誤結線防止システム１００では、配線２と結線端子１１０の対応関係の正誤を複数回確認することで、誤結線を確実に防止することができる。また、本実施形態の誤結線防止システム１００では、ブロック５０に切りカギ５３が設けられているため、結線端子１１０に配線２を結線した後でも、ブロック５０（正規表示器５）の取り外しや取り付けを容易に行うことができる。
【００５０】
誤結線防止システム１００では、全ての結線端子１１０に全ての配線２を結線した後に一括で判定手段３１による正誤判定が行われる以外に、一つの結線端子１１０に一つの配線２を結線する度に判定手段３１による正誤判定が行われてもよい。具体的には、まず、正規表示器５に一つの配線２を接続した後に（例えば、一つのブロック５０の貫通孔５１に配線２を挿通した後に）、この配線２を結線端子１１０に結線し、読み取り手段３０がこの配線２に関する結線配線情報を読み取り、判定手段３１がこの配線２に関する結線配線情報と正規配線情報とを一括で比較して、この配線２と結線端子１１０とが正しい対応関係を有するか否かの正誤判定を行ってもよい。この後に、正規表示器５に一つの配線２を接続し且つ一つの結線端子１１０に一つの配線２を結線する度に、判定手段３１による正誤判定を行うとの処理を繰り返してもよい。
【００５１】
この場合、各ブロック５０の表面には、正規配線情報を示すバーコードが表示されていてもよい。即ち、各ブロック５０の表面に、一つずつバーコードが表示されていてもよい。具体的に、各ブロック５０の表面に、そのブロック５０に挿通される配線２の正規配線情報を示すバーコード（例えば、この配線２自体の色の情報を示すバーコード）が表示されていてもよい。
【００５２】
また、誤結線防止システム１００では、正規表示器５に配線２を接続した後に配線２を結線端子１１０に結線する以外に、配線２を結線端子１１０に結線した後に正規表示器５に配線２を接続してもよい。
【００５３】
第２実施形態に係る誤結線防止システム１００についての説明は以上である。続いて、本発明の第３実施形態に係る誤結線防止システム１００について、図６を参照しつつ説明する。尚、第１実施形態や第２実施形態と共通する構成については、同じ符号を付し、説明は繰り返さない。
【００５４】
第３実施形態に係る誤結線防止システム１００は、電力使用量をアナログで計測する計器１の代わりに、電力使用量をデジタルで計測するスマートメーターである計器１を備える。本実施形態の計器１の端子台１１は、６つの結線端子１１０（結線端子１Ｓ、２Ｓ、３Ｓ、１Ｌ、２Ｌ、３Ｌ）を有する。各結線端子１１０には、色が同じ複数の配線２（例えば、６本の黒色の配線２）の各々が結線されている。
【００５５】
本実施形態の各配線２には、表示札２０が設けられている。表示札２０には、結線配線情報（例えば、「１Ｓ」である旨を示すＱＲコードやバーコード）が表示されている。また、本実施形態の配線２は、正規表示器５に接続されている。本実施形態の正規表示器５の表面の全体には、正規配線情報を示す一つのバーコード５２（例えば、各結線端子１１０と対応する配線２自体の色の配列の情報を示すバーコード５２）が表示されている。また、本実施形態の正規表示器５は、連続した６つの樹脂製のブロック５０で構成されている。各ブロック５０の色は、同じ（例えば、黒色）である。各ブロック５０の表面には、正規配線情報（例えば、バーコード５２）に加えて、各配線２に対応する結線端子１１０に関する情報（例えば、「１Ｓ」）も印字されている。尚、表示札２０は、接続部材２１により配線２に接続されている。
【００５６】
このような場合においても、配線２と結線端子１１０との対応関係の正誤が、正規配線情報（予め定められた各結線端子に対応する配線に関する情報）に基づいて判定手段３１により判定されるため、配線２と結線端子１１０との対応関係が誤っていたとしても、判定手段３１による判定結果に基づいて配線２と結線端子１１０との対応関係を修正することが可能であり、これにより、誤結線を防止することができる。
【００５７】
尚、本発明の誤結線防止システムは、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００５８】
例えば、上記実施形態の誤結線防止システム１００では、結線端子１１０の数が６つや７つであったが、これに限られず複数であればよい。同様に、配線２の数も６本や７本に限られず複数であればよい。
【００５９】
誤結線防止システム１００において、記憶部４０に記憶された正規配線情報、及び、正規表示器５に表示された正規配線情報の両方を用いて、判定手段３１による正誤判定が行われてもよい。また、誤結線防止システム１００において、配線２自体の色の情報である結線配線情報、表示札２０に表示される結線配線情報の両方を用いて、判定手段３１による正誤判定が行われてもよい。
【００６０】
上記実施形態の端末３は、ハンディターミナル以外に、スマートフォン等の各種端末であってもよい。さらに、端末３がラベル等を印刷する印刷手段を備える場合、判定手段３１は、正誤判定の判定結果をこの印刷手段に出力しラベル等に印刷させてもよい。また、読み取り手段３０及び判定手段３１は、いずれも同じ端末３に備えられていたが、読み取り手段３０及び判定手段３１はそれぞれ別の端末に備えられていてもよい。
【００６１】
このような場合においても、配線２と結線端子１１０との対応関係の正誤が、正規配線情報（予め定められた各結線端子に対応する配線に関する情報）に基づいて判定手段３１により判定されるため、配線２と結線端子１１０との対応関係が誤っていたとしても、判定手段３１による判定結果に基づいて配線２と結線端子１１０との対応関係を修正することが可能であり、これにより、誤結線を防止することができる。
【符号の説明】
【００６２】
１、２０１…計器、１０…本体、１１…端子台、１１０、１Ｓ、Ｐ１、Ｐ３、３Ｓ、３Ｌ、Ｐ２、１Ｌ、２Ｓ、２Ｌ…結線端子、２…配線、２０…表示札、２１…接続部材（結束バンド）、３…端子（ハンディターミナル）、３０…読み取り手段、３１…判定手段（制御部）、３２…操作手段、３３…表示手段、４…サーバー、４０…記憶部、５…正規表示器、５０…ブロック、５１…貫通孔、５２…バーコード、５３…切りカギ、１００…誤結線防止システム、２００…変流器付計器、２０２…変流器
【図１】
2020005335.tif 000003
【図２】
2020005335.tif 000004
【図３】
2020005335.tif 000005
【図４】
2020005335.tif 000006
【図５】
2020005335.tif 000007
【図６】
2020005335.tif 000008
【図７】
2020005335.tif 000009